(57)【要約】  【課題】  タイムサーチの入力操作を簡略化できるうえに入力時間も大幅に短縮化し得るディスク記録情報のタイムサーチ装置を提供する。  【解決手段】  時間、分および秒を入力する入力手段１４と、ディスク状記憶媒体２に記録された情報を再生する再生手段６と、前記ディスク状記憶媒体２に記録された情報の総時間および時間桁、分桁、秒桁を表示部に表示させる表示手段１１と、前記再生手段６からの再生情報が入力すると前記総時間を抽出し前記表示手段１１に送出して前記表示部に表示させた後、前記入力手段１４で時間が入力されるとその入力時間を前記総時間と比較し、入力時間が総時間を超えているときは無効入力としたうえ、前記表示部の何れかの桁に前記総時間内で入力可能な上限値を表示させるとともに、その下位の桁に入力を促すサインを表示させ、前記入力時間が前記総時間内であるときはこの総時間を上限として該当する桁に前記入力時間を表示させ、この表示桁よりも上位の桁は表示無しとする制御を行う制御手段１５と、を具備してなる。【選択図】      図1
2005063610.tif 000002
【特許請求の範囲】
【請求項１】
時間、分および秒を入力する入力手段と、
ディスク状記憶媒体に記録された情報を再生する再生手段と、
前記ディスク状記憶媒体に記録された情報の総時間および時間桁、分桁、秒桁を表示部に表示させる表示手段と、
前記再生手段からの再生情報が入力すると前記総時間を抽出し前記表示手段に送出して前記表示部に表示させた後、前記入力手段で時間が入力されるとその入力時間を前記総時間と比較し、入力時間が総時間を超えているときは無効入力としたうえ、前記表示部の何れかの桁に前記総時間内で入力可能な上限値を表示させるとともに、その下位の桁に入力を促すサインを表示させ、前記入力時間が前記総時間内であるときはこの総時間を上限として該当する桁に前記入力時間を表示させ、この表示桁よりも上位の桁は表示無しとする制御を行う制御手段と、を具備してなるディスク記録情報のタイムサーチ装置。
【請求項２】
時間、分および秒を入力する入力手段と、
ディスク状記憶媒体に記録された情報を再生する再生手段と、
前記ディスク状記憶媒体に記録された情報の総時間および時間桁、分桁、秒桁を表示部に表示させる表示手段と、
前記再生手段からの再生情報が入力すると前記総時間を抽出し前記表示手段に送出して前記表示部に表示させた後、前記入力手段で時間が入力されるとその入力時間を前記総時間と比較し、入力時間が総時間を超えているときは無効入力としたうえ、前記表示部の何れかの桁に前記総時間内で入力可能な上限値を表示させるとともに、その下位の桁に入力を促すサインを表示させ、前記入力時間が前記総時間内であるときはこの総時間を上限として該当する各桁に前記入力時間を表示させる制御を行う制御手段と、を具備してなるディスク記録情報のタイムサーチ装置。
【請求項３】
前記制御手段が、該当する桁に前記入力時間を表示させるとき、この表示桁よりも上位の桁は表示無しとする制御を行うことを特徴とする請求項２に記載のディスク記録情報のタイムサーチ装置。
【請求項４】
前記入力手段が、数値を入力するテンキーであり、前記サインが前記表示部の桁の間を移動して何れかの桁を選択的に明示するカーソルであって、前記テンキーにより時間が入力されたときは、前記制御手段がその入力時間に該当する桁を前記カーソルで明示させることを特徴とする請求項２に記載のディスク記録情報のタイムサーチ装置。
【請求項５】
前記入力手段が、上下方向操作部を時間入力用に、左右方向操作部を桁選択用とした十字キーであり、前記制御手段は、前記上下方向操作部が操作されたとき、前記総時間の範囲内で入力時間の変更を可能とし、前記左右方向操作部が操作されたとき、前記総時間の範囲内で桁の変更を可能とすることを特徴とする請求項２に記載のディスク記録情報のタイムサーチ装置。
【請求項６】
前記入力手段が、アップダウンキーであり、前記サインが前記表示部の桁の間を移動して何れかの桁を選択的に明示するカーソルであって、前記制御手段は、前記アップダウンキーで時間が入力されたとき、前記総時間の範囲内で数値の変更を可能とすることを特徴とする請求項２に記載のディスク記録情報のタイムサーチ装置。
【発明の詳細な説明】
【技術分野】
【０００１】
本発明は、ＤＶＤやＣＤ等に記録された映像・音響情報を再生するディスクプレイヤーに備えられたディスク記録情報のタイムサーチ装置に係り、特に、タイムサーチ操作の簡略化やタイムサーチ時間の短縮化を図るディスク記録情報のタイムサーチ装置に関する。
【背景技術】
【０００２】
ＤＶＤおよびＣＤの再生が可能なＤＶＤプレイヤーが普及しているが、ＤＶＤまたはＣＤに記録された情報をタイムサーチする際は、リモコン操作によりテレビの画面にメニューを表示させてからタイムサーチモードを選択し、所望の時間を入力するのが一般的である。
このタイムサーチモードでは、テレビ画面の右側に記録情報の総時間を表示させる一方、左側に時間桁、分桁および秒桁を表示させることにより、ユーザーがテンキー等でタイムサーチの時間を入力可能としている。
この際、時間桁、分桁および秒桁には、数値が何も表示されていないブランク状態となっているので、ユーザーはテレビの画面を見ながら所望の数値を順次入力してゆくことになる。
【０００３】
例えば、総時間５分のＣＤを再生する場合にタイムサーチ時間が３分であると、時間桁を“０”にした後、分桁に“０３”を入力する。これに伴い、画面上には、タイムサーチ時間として、“００：０３：００”が表示される。
この表示を見たユーザーは、タイムサーチ時間を確認し、続いて再生の指令を与えることができる。
このようなＤＶＤプレイヤーは、３分のタイムサーチ時間を入力するとき、リモコンで上位の３桁を順次入力する必要があり、押キー操作の回数が多くなっていた。
また、ＣＤの再生においては、タイムサーチ時間がかなり短かい場合もあり、９秒を入力するようなこともある。この際は、時間桁“０”に続き分桁“００”を入力してから秒桁“０９”を入力しなければならない。
このため、所望のタイムサーチ時間を入力するまでには、５回も数値の入力を要することから、操作が面倒となるうえに入力時間も長くなるという欠点があった。
【０００４】
ところで、この種のタイムサーチ装置として、ジョグダイヤルによるディスクのタイムサーチ方法が知られている（例えば、特許文献１参照）。
このものは、ジョグダイヤルの回転が停止されると、最終瞬間に指定されたタイムに相当するディスクの位置を高速でサーチするタイムサーチ機能を備えている。そして、ディスクの位置がサーチされると、その位置から正常速度で再生が遂行されるようになっている。
【０００５】
また、簡単な操作によって頭出しを可能とする磁気記録再生装置が提案されている（例えば、特許文献２参照）。
この装置は、数値入力ボタンで数値を入力すると、所望の頭出し時間が指定されて、インディックスサーチモードからタイムサーチモードに移行する。そして、時間を表示する全ての桁数が入力された後にタイムサーチモードに移行するため、入力時間確定までのボタンを備える必要がなく少ボタン数で構成できるものである。
さらに、簡単な操作によってタイムサーチを実行可能とするビデオデッキおよび記録再生装置も提案されている（例えば、特許文献３参照）。
このものは、タイムサーチが実行されると、タイムサーチ時間記憶手段に時間間隔が履歴として記憶される構成になっている。
よって、ユーザーは、このタイムサーチ時間記憶手段に時間間隔が記憶されていると、タイムサーチを行う時間間隔として指定することができるので、タイムサーチ毎に時間間隔を入力する必要がなくなるというものである
【特許文献１】特開平６−３０９７７９号公報
【特許文献２】特開２００１−２３２６６号公報
【特許文献３】特開２００２−２０８２６３号公報
【発明の開示】
【発明が解決しようとする課題】
【０００６】
しかしながら、上記特許文献１〜３の各装置は、何れもタイムサーチにおける利便性を図ることを目的としているが、タイムサーチ時間を入力するときに、上位の桁から順次入力してゆかねばならない不具合を解消するものではない。
このため、タイムサーチ時間の入力操作が簡略化できないうえに入力時間も短縮化できないといった問題が残されていた。
【０００７】
そこで、本発明は、上記の問題に鑑みてなされたものであり、タイムサーチの入力操作を簡略化できるうえに入力時間も大幅に短縮化し得るディスク記録情報のタイムサーチ装置を提供することを目的としている。                 
【課題を解決するための手段】
【０００８】
上記目的を達成するため、本発明によるディスク記録情報のタイムサーチ装置は、時間、分および秒を入力する入力手段と、ディスク状記憶媒体に記録された情報を再生する再生手段と、前記ディスク状記憶媒体に記録された情報の総時間および時間桁、分桁、秒桁を表示部に表示させる表示手段と、前記再生手段からの再生情報が入力すると前記総時間を抽出し前記表示手段に送出して前記表示部に表示させた後、前記入力手段で時間が入力されるとその入力時間を前記総時間と比較し、入力時間が総時間を超えているときは無効入力としたうえ、前記表示部の何れかの桁に前記総時間内で入力可能な上限値を表示させるとともに、その下位の桁に入力を促すサインを表示させ、前記入力時間が前記総時間内であるときはこの総時間を上限として該当する桁に前記入力時間を表示させ、この表示桁よりも上位の桁は表示無しとする制御を行う制御手段と、を具備している。
これにより、タイムサーチの入力操作が簡略化されるうえに入力時間の短縮化も図られる。
【０００９】
また、上記目的を達成するための本発明によるディスク記録情報のタイムサーチ装置は、時間、分および秒を入力する入力手段と、ディスク状記憶媒体に記録された情報を再生する再生手段と、前記ディスク状記憶媒体に記録された情報の総時間および時間桁、分桁、秒桁を表示部に表示させる表示手段と、前記再生手段からの再生情報が入力すると前記総時間を抽出し前記表示手段に送出して前記表示部に表示させた後、前記入力手段で時間が入力されるとその入力時間を前記総時間と比較し、入力時間が総時間を超えているときは無効入力としたうえ、前記表示部の何れかの桁に前記総時間内で入力可能な上限値を表示させるとともに、その下位の桁に入力を促すサインを表示させ、前記入力時間が前記総時間内であるときはこの総時間を上限として該当する各桁に前記入力時間を表示させる制御を行う制御手段と、を具備している。
これにより、タイムサーチの入力操作が簡略化されるうえに入力時間の短縮化も図られる。
【００１０】
ここで、無駄な入力操作をなくすため、前記制御手段が、該当する桁に前記入力時間を表示させるとき、この表示桁よりも上位の桁は表示無しとする制御を行うことが好ましい。
また、前記入力手段が、数値を入力するテンキーであり、前記サインが前記表示部の桁の間を移動して何れかの桁を選択的に明示するカーソルであって、前記テンキーにより時間が入力されたときは、前記制御手段がその入力時間に該当する桁を前記カーソルで明示させている。
このため、タイムサーチの入力時間が早められる。
また、前記入力手段が、上下方向操作部を時間入力用に、左右方向操作部を桁選択用とした十字キーであり、前記制御手段は、前記上下方向操作部が操作されたとき、前記総時間の範囲内で入力時間の変更を可能とし、前記左右方向操作部が操作されたとき、前記総時間の範囲内で桁の変更を可能としている。
これにより、タイムサーチの入力操作を簡便に行える。
また、前記入力手段が、アップダウンキーであり、前記サインが前記表示部の桁の間を移動して何れかの桁を選択的に明示するカーソルであって、前記制御手段は、前記アップダウンキーで時間が入力されたとき、前記総時間の範囲内で数値の変更を可能としている。
これにより、既設のアップダウンキーを兼用することができる。
【発明の効果】
【００１１】
以上説明したように、本発明によれば、入力手段による入力時間とディスク状記憶媒体に記録された情報の総時間とを比較し、入力時間が総時間を超えているときは無効入力としたうえ、表示手段の表示部の何れかの桁に総時間内で入力可能な上限値を表示させるとともに、その下位の桁に入力を促すサインを表示させるので、所望のタイムサーチ時間を直ぐに入力することができる。
また、該当する桁に入力時間を表示させるとき、この表示桁よりも上位の桁は表示無しとするので、従来のように無意味な桁から入力する必要がなくなり、入力操作が簡略化されるうえに入力時間が大幅に短縮化される効果がある。
【００１２】
また、本発明によれば、入力手段による入力時間とディスク状記憶媒体に記録された情報の総時間とを比較し、入力時間が総時間を超えているときは無効入力としたうえ、表示手段の表示部の何れかの桁に総時間内で入力可能な上限値を表示させるとともに、その下位の桁に入力を促すサインを表示させるので、所望のタイムサーチ時間を直ぐに入力することができ、入力操作が簡略化されるうえに入力時間が大幅に短縮化される効果がある。
【００１３】
また、制御手段が該当する桁に入力時間を表示させるとき、この表示桁よりも上位の桁は表示無しとするので、従来のように無意味な桁から入力する必要がなくなり、入力操作が簡略化されるうえにタイムサーチ時間が大幅に短縮化される利点がある。
また、入力手段が数値を入力するテンキーであり、サインが表示部の桁の間を移動して何れかの桁を選択的に明示するカーソルであって、テンキーにより時間が入力されたときは、制御手段がその入力時間に該当する桁をカーソルで明示させることから、所望のタイムサーチ時間を容易かつ迅速に入力することができる利点がある。
【００１４】
また、入力手段が十字キーであり、上下方向操作部が操作されたとき、総時間の範囲内で入力時間の変更を可能とし、左右方向操作部が操作されたとき、総時間の範囲内で桁の変更を可能とするので、無用な入力操作および不要な動作がなくなり、タイムサーチの入力操作を簡便に行える利点がある。
また、入力手段がアップダウンキーであり、サインが表示部の桁の間を移動して何れかの桁を選択的に明示するカーソルであって、アップダウンキーにより時間が入力されたときは、総時間の範囲内で数値の変更が可能になることから、既設のアップダウンキーを兼用することにより有効利用できるといった利点がある。
【発明を実施するための最良の形態】
【００１５】
以下、本発明のディスク記録情報のタイムサーチ装置の実施形態について、図面を参照しながら詳述する。
図１は本発明の一実施形態であるディスク記録情報のタイムサーチ装置の電気的構成を示すブロック線図、図２はリモコンの概要構成を示す平面図である。
本実施形態のディスク記録情報のタイムサーチ装置は、普及型のＤＶＤプレイヤー１に適用されたもので、図２に示すリモコン（リモートコントローラ）１４の操作により、ＣＤやＤＶＤ等のディスク２に記録された情報を再生し、図３に示すスピーカ１２で音声を放音させたり、モニタ１１（テレビジョン受像機）の画面１１ａに映像を表示させる構成になっている。
【００１６】
図１において、３は駆動系のモータであり、前記ディスク２を回転駆動させる。また、４は光ピックアップであって、ディスク２のトラックから光学的に読み取った情報を信号処理部（図示省略）に送出する。この信号処理部は、読出部６および制御部１５に接続されており、前記読取情報を信号処理してそれぞれに伝送する。
なお、モータ３や光ピックアップ４は、サーボ制御部５により動作速度が制御されるようになっている。
前記読出部６は、ディスク２から読み出された圧縮映像音声データ（データストリーム）を分離化部７に送出する。また、この分離化部７は、圧縮映像音声データを圧縮映像データバケットと圧縮音声データバケットとに分離し、伸長部８へ伝送する。
【００１７】
この伸長部８は、分離化部７にて分離された圧縮映像データバケットおよび圧縮音声データバケットをそれぞれ復号して元の映像音声情報に伸長する。
なお、これら読出部６、分離化部７および伸長部８は、一般のデコーダＩＣによって構成されている。
また、９は映像情報出力部（映像出力部）であって、前記伸長部８により伸長された映像データを、図３に示すモニタ１１の画面１１ａに表示すべくＮＴＳＣあるいはＰＡＬ方式のカラーテレビジョン信号に変換して出力する。
１０は音声情報出力部（音声出力部）であり、伸長部８にて伸長された音声データをスピーカ１２に送出して放音させる。
【００１８】
１３は画面１１ａの表示内容をコントロールするＯＳＤ回路であって、出力がモニタ１１側の映像出力部９に接続されており、制御部１５からの出力信号が導かれている。
このＯＳＤ回路１３は、リモコン１４の操作に基づく制御部１５の表示制御により、ディスク２の情報再生に関したメニュー項目、タイムサーチに関した時間の数値、コロン、カーソル（矢印）等を画面１１ａに表示させる。
タイムサーチについては、モニタ１１の画面１１ａにおける右側に総時間表示部として“ｗｈｏｌｅ  ｔｉｍｅ”の英文字を明示し、ディスク２の記録情報の総時間を表示させる。
一方、前記画面１１ａの左側部分には、サーチ時間表示部として“ｔｉｍｅ  ｓｅａｒｃｈ”を明示し、時間桁Ｈ、分桁Ｍｍおよび秒桁Ｓｓを表示させるようになっている。
【００１９】
１４はリモコンであり、リモコン本体にＤＶＤプレイヤー１をコントロールするための各種入力キーが配設されている。
この入力キーとしては、一般のリモコンと同様、電源オン・オフ用のパワーキー、トレイ開閉用の開閉キー、メニュー選択用のメニューキー、機能キー１４ａ、十字キー１４ｂおよびテンキー１４ｃ等を備えている。
メニューキーは、画面１１ａ上にメニュー項目を表示させるための指令を出力する。なお、このメニュー項目の中には、通常の設定項目の他に「タイムサーチ時間入力」も含まれている。
これらのメニュー項目が表示されたとき、カーソルを移動させて、例えば、「タイムサーチ時間入力」を選択すると、キー操作により所望のタイムサーチ時間を入力できる。
機能キー１４ａとしては、再生キー、戻しキー、早送りキー、早戻しキー、スロー再生キー、ストップキー等を備えている。
【００２０】
十字キー１４ｂは、兼用キーであり、基本的には上下方向操作部がチャンネル選局用で、左右方向操作部が音量調整用となっている。
上下方向操作部の上側を押すとチャンネル番号をアップさせる指令が、下側を押すとチャンネル番号をダウンさせる指令信号が出力される。
また、左右方向操作部のうち、右側を押すと音量をアップさせる指令が、左側を押すと音量をダウンさせる指令信号が出力される。
一方、メニュー項目で「タイムサーチ時間入力」が選択されると、十字キー１４ｂの上下方向操作部が時間入力用となり、左右方向操作部が桁選択用となる。
そして、上下方向操作部のうち、上側を押すと数値をアップさせる指令が、下側を押すと数値をダウンさせる指令信号が出力される。
また、左右方向操作部のうち、左側を押すと時間桁の下部に表示されるカーソルを上位の桁側に移動させ、右側を押すと下位の桁側に移動させる指令信号が出力されるようになっている。
十字キー１４ｂの中央のキーは、十字キー１４ｂで選択した内容を確定する決定キーである。
【００２１】
なお、タイムサーチ時間の入力については、テンキー１４ｃにより直接数値を入力する構成としてもよい。
また、アップ・ダウンキーを備えたリモコンでは、チャンネル選局用を時間入力用とし、音量調整用を桁変更用としてもよい。
このこのように構成されたリモコン１４は、何れかのキーが操作されると、その操作内容に応じた指令が赤外線信号で送信される。
１５ａは受信部であり、リモコン１４から送信されてくる赤外線信号を受信して、その伝送信号を制御部１５側に送出する。
【００２２】
この制御部１５は、マイクロコンピュータであり、各種データを記憶するメモリを備えている。そして、前記回路各部とは、その機能に応じて一方向または双方向性に接続されている。
この制御部１５は、リモコン１４からの指令に従ってＤＶＤプレイヤー全体の動作を制御する。
特に、タイムサーチ時間入力モードにおいては、ディスク２の再生開始時に読出部６から再生情報が入力するとその総時間を抽出し、モニタ１１に送出して画面１１ａ上の総時間表示部に表示させる。
また、リモコン１４で時間が入力されるとその入力時間を総時間と比較し、入力時間が総時間を超えているときは無効入力としたうえ、画面１１ａ上の桁表示部の何れかの桁に総時間内で入力可能な上限値を表示させるとともに、その下位の桁に入力を促す矢印状のカーソルを移動表示させる。
そして、入力時間が総時間内であるときはこの総時間を上限として該当する桁に入力時間を表示させ、この表示桁よりも上位の桁は表示無しとする制御を行う構成になっている。
【００２３】
次に、上記ＤＶＤプレイヤーの動作について、図４のフローチャートを参照しつつ説明する。
但し、ユーザーが、ディスク２としてＣＤに記録された楽曲を途中から再生したい場合について説明する。
まず、ＣＤ２をトレイにセットした後、リモコン１３のメニューキーを操作し、モニタ１１の画面１１ａにメニューを表示させる。
そして、メニュー項目の中から「タイムサーチ時間入力」を選択すると、これに応じて制御部１５はタイムサーチモードに移行する。
このタイムサーチモードでは、制御部１５がサーボ制御部５を制御し、ＣＤ２の情報再生を開始させる。これに伴い、ＴＯＣ領域の情報が読み出されると、デコーダＩＣから制御部１５に送出される。
この制御部１５は、入力情報のうち楽曲の総時間を抽出してメモリに記憶し、かつＯＳＤ回路１３伝送する。
このＣＤ２に例えば、５分３０秒の楽曲が記録されていると、図３に示すように、画面１１ａの総時間表示部には、“００：０５：３０”が表示される。
【００２４】
つぎに、制御部１５は、総時間の範囲内である分の桁“ｍ”にカーソルを移動表示させる。
ここで、ユーザーが楽曲を９秒から再生したいとき、十字キー１４ｂの左右方向操作部の右側を押す。すると、制御部１５はカーソルを右側に移動させる。
ユーザーは、カーソルが十秒の桁“Ｓ”を通過して秒の桁“ｓ”に移動した時点で押すのを止めると、制御部１５はその位置で固定表示させる。
続いて、ユーザーが上下方向操作部のうち、上側を操作すると、制御部１５は秒桁“ｓ”に０を表示させてから１，２，３と順次数値をアップさせる。
そして、“９”が表示された時点で押キー操作を止め、決定キーを押すと９秒のサーチ時間が確定される。
これに伴い、制御部１５は、サーチ時間と前記総時間とを比較する。ここでは、５分３０秒の総時間に対し９秒は短いので、このタイムサーチ時間入力を受け付け、楽曲の再生を９秒の時点から開始させる。
【００２５】
なお、ユーザーがサーチ時間を入力するとき、十字キー１４ｂの左右方向操作部の左側を押し続けることがあっても、制御部１５は総時間との比較により、カーソルを分桁“ｍ”以上に移動表示させない。
このＣＤ２再生では、カーソルが分桁“ｍ”と秒桁“ｓ”との間でのみ移動自由である。
また、上下方向操作部の上側を押し続けることがあっても、分桁を上限値である“５”以上に変更させることはない。
数値も、分桁“ｍ”においては“５”の範囲内、十秒桁“Ｓ”では“３０”の範囲内で自由な変更が可能である。
従って、所望のタイムサーチ時間を短時間で入力することができる。また、従来のように無意味な桁から入力する必要がなくなるので、入力操作が大幅に簡略化される。
【００２６】
なお、上記実施の形態では、ＣＤ２を再生させる例について説明したが、ＤＶＤを再生する場合も同様である。
また、本実施形態のディスク記録情報のタイムサーチ装置は、ＤＶＤプレイヤー１に適用される例について説明したが、ＣＤプレイヤー等にも広く採用し得ることは勿論である。
なお、本発明は上記の各実施形態に限定されず、本発明の趣旨を逸脱しない範囲で、種々の変更が可能である。
【図面の簡単な説明】
【００２７】
【図１】本発明の一実施形態であるディスク記録情報のタイムサーチ装置の電気的構成を示すブロック線図である。
【図２】本発明に係るリモコンの概要構成を示す平面図である。
【図３】モニタに表示されたタイムサーチ時間の一例を示す説明図である。
【符号の説明】
【００２８】
２    ディスク状記憶媒体
６    再生手段
１１    表示手段
１４    入力手段
１５    制御手段
【図１】
2005063610.tif 000003
【図２】
2005063610.tif 000004
【図３】
2005063610.tif 000005